(57)【要約】【課題】照射角度の広い灯火装置１を提供する。【解決手段】それぞれ鉛直上向きの光軸を有すると共に、基板３１上に垂直中心軸Ｘを中心とした円を形成するように並んで配置された複数の発光体３５と、複数の発光体３５からなる円内に配置された反射体３３と、を有する発光部３を備える。反射体３３は、垂直中心軸Ｘと同軸となるように配置されると共に、その天地を逆転させることで下向きに縮径する反射周面３３１を有する逆円錐台状であり、各発光体３５は、反射体３３の上端外周縁から鉛直下向きに降ろした垂線と交差する位置に配置されている。【選択図】図４
2010067363.tif 000002
【特許請求の範囲】
【請求項１】
上下方向に延びる垂直中心軸に対して直交するように配置された基板と、
それぞれ鉛直上向きの光軸を有すると共に、前記基板上に前記垂直中心軸を中心とした円を形成するように並んで配置された複数の発光体と、
前記複数の発光体からなる円内に配置されて前記基板に対し固定された反射体と、を有する発光部を備え、
前記反射体は、前記垂直中心軸と同軸となるように配置されると共に、その天地を逆転させることで下向きに縮径する反射周面を有する逆円錐台状であり、
前記各発光体は、前記反射体の上端外周縁から鉛直下向きに降ろした垂線と交差する位置に配置されている灯火装置。
【請求項２】
請求項１に記載の灯火装置において、
前記発光部は、前記発光体位置を通る縦断面における照射角度が、当該発光体から上向きに照射される光と、前記反射体の反射周面で反射することにより径方向の外方に向かって照射される光とによって９０°以上となるように設定されている灯火装置。
【請求項３】
請求項１又は２に記載の灯火装置において、
前記発光部を発光させるための電源を含む制御回路を少なくとも収容する本体部と、
前記本体部の上面に取り付けられて、その内部に前記発光部を収容する透光グローブと、
前記本体部に取り付けられた携行ハンドルと、をさらに備えている灯火装置。
【請求項４】
請求項３に記載の灯火装置において、
前記各発光体は、発光ダイオードであり、
前記電源は、リチウムイオン二次電池である灯火装置。
【請求項５】
請求項４に記載の灯火装置において、
前記発光体は、互いに発光色の異なる複数種類の発光ダイオードを含み、
前記透光グローブは、透明であり、
前記発光部は、前記制御回路により発光させる発光ダイオードを切り替えることによって複数色の発光が可能に構成されている灯火装置。
【請求項６】
請求項４に記載の灯火装置において、
前記制御回路は、前記リチウムイオン二次電池の残量を検出する検出回路を含み、
前記発光部は、前記検出回路によって検出された前記リチウムイオン二次電池の残量を示す表示部をさらに有している灯火装置。
【発明の詳細な説明】
【技術分野】
【０００１】
本発明は、灯火装置に係り、特にヘリコプター等の飛行体の離着陸場に設置されることにより、夜間に離着陸位置を示す標識灯として最適な灯火装置に関する。
【背景技術】
【０００２】
ヘリコプターを、臨時に離着陸させることが可能な離着陸場として、場外離着陸場や緊急離着陸場等が存在するが、これらの離着陸場では、夜間にヘリコプターを安全に離着陸させるために各種の標識灯を設置することが必要となる。
【０００３】
例えば特許文献１には、ヘリコプターの離着陸場に設置される可搬の標識灯が開示されている。この可搬標識灯は、複数個の発光ダイオードを、基板の中心位置で密集するように配置すると共に、その上方位置に、天地を逆にした逆円錐状の反射ミラーを配置して構成されている。これによりこの可搬標識灯では、発光ダイオードから上向きに発光した光を反射ミラーの反射によって径方向の外方に向かって略水平方向に照射するようにしている。ヘリコプターの着陸時における進入角は約３０°であるが、前記公報の可搬標識灯は、水平方向から３０°上方に至る照射角度で光を照射することができ、それによってヘリコプターの着陸時における標識灯として要求される性能が確保されている。また、この可搬標識灯では、角度の異なる反射ミラーに交換することによって、その照射角度を変更するようにしている。
【特許文献１】特開２００１−２３４０５号公報
【発明の開示】
【発明が解決しようとする課題】
【０００４】
ところで、前述したようにヘリコプターの通常の着陸時は、その進入角が３０°であるものの、例えば緊急離着陸場等においては、場所の制約上、進入角をさらに大きくしなければならない場合がある。従って離着陸場に設置される標識灯の照射角度はできるだけ広い方が、様々な状況に対応し得るため好ましく、例えば鉛直上方から水平方向までの９０°以上の照射角度があることが望ましい。こうすることで、識別灯の真上においても、所定以上の光度が確保できるようになる。
【０００５】
しかしながら、前記公報に記載された可搬標識灯では、逆円錐状の反射ミラーによって反射させる構成であるため照射角度は比較的狭い角度にしかならず、また、鉛直上方に光を照射することは当然にできない。さらに、照射角度を変更しようとすれば反射ミラーを交換しなければならず、このことにより可搬標識灯を設置する度に、着陸時の進入角度に応じて、標識灯の一つ一つについて、反射ミラーを交換する煩雑な作業を行わなければならなくなり、使い勝手が悪いという不都合がある。
【０００６】
本発明は、かかる点に鑑みてなされたものであり、その目的とするところは、照射角度の広い灯火装置を提供することにある。
【課題を解決するための手段】
【０００７】
本発明は、発光体から発光した光を反射体によって反射させることで、径方向の外方に向かって略水平方向に光を照射するだけでなく、発光体から上向きに発光した光の一部は反射させることなくそのまま上向きに照射することによって、発光体からの直接光と反射体による反射光との双方により照射角度を拡大するようにした。
【０００８】
すなわち、本発明の一側面によると、灯火装置は、上下方向に延びる垂直中心軸に対して直交するように配置された基板と、それぞれ鉛直上向きの光軸を有すると共に、前記基板上に前記垂直中心軸を中心とした円を形成するように並んで配置された複数の発光体と、前記複数の発光体からなる円内に配置されて前記基板に対し固定された反射体と、を有する発光部を備え、前記反射体は、前記垂直中心軸と同軸となるように配置されると共に、その天地を逆転させることで下向きに縮径する反射周面を有する逆円錐台状であり、前記各発光体は、前記反射体の上端外周縁から鉛直下向きに降ろした垂線と交差する位置に配置されている。
【０００９】
この構成によると、発光部は、複数の発光体を円形状となるように配置すると共に、その内側に下向きに縮径する反射周面を有する、逆円錐台状の反射体を配置することによって構成されており、さらに各発光体を前記反射体の上端外周縁から鉛直下向きに降ろした垂線と交差する位置に配置している。これにより、この発光部を上から見たときには、各発光体の一部が反射体によって覆われて隠れる一方、残りの部分は反射体によって覆われずに露出することになる。
【００１０】
このため、各発光体を発光させたときには、その光の一部は下向きに縮径する反射周面によって反射して径方向の外方に向かって略水平方向に照射される一方、光の一部は反射周面に反射されることなく、そのまま上向きに照射されることになる。こうして、発光体から上向きに照射される光と、前記反射体の反射周面で反射することにより径方向の外方に向かって照射される光との双方が存在することにより、照射角度が拡大する。
【００１１】
また、複数の発光体を円形状に並べて配置すると共に、その発光体に対し水平方向に隣接して逆円錐台状の反射体を配置することによって、垂直中心軸を中心とした３６０°の全方向に亘って光を照射することができる。
【００１２】
こうして、照射角度が予め拡大しているため、照射角度を変更するために、反射体を交換する等の煩雑な作業は不要であり、灯火装置の使い勝手が大幅に向上する。
【００１３】
前記発光部は、前記発光体位置を通る縦断面における照射角度が、当該発光体から上向きに照射される光と、前記反射体の反射周面で反射することにより径方向の外方に向かって照射される光とによって９０°以上となるように設定されている、ことが好ましい。つまり、各発光体の指向特性、反射体の反射周面の傾斜角度、及び、各発光体と反射体との相対位置をそれぞれ調整することによって、照射角度が９０°以上となるようにすることが好ましい。こうすることで、前記灯火装置の、前記垂直中心軸を通る縦断面において、その垂直中心軸を挟んだ両側それぞれの９０°の範囲、つまり、当該縦断面における１８０°の全域に亘って、所定以上の光度が得られるようになる。その結果、この灯火装置を、例えば飛行体の離着陸場用の標識灯として用いる場合には、種々の状況にも対応し得るようになると共に、その他の用途に用いることも可能となり、灯火装置の汎用性が高まる。
【００１４】
前記灯火装置は、前記発光部を発光させるための電源を含む制御回路を少なくとも収容する本体部と、前記本体部の上面に取り付けられて、その内部に前記発光部を収容する透光グローブと、前記本体部に取り付けられた携行ハンドルと、をさらに備えている、としてもよい。つまり、本発明の灯火装置は、持ち運び可能な可搬灯火装置としてもよい。
【００１５】
前記各発光体は、発光ダイオードであり、前記電源は、リチウムイオン二次電池である、としてもよい。こうすることで、灯火装置の軽量化や、省電力による連続点灯時間の長時間化を図ることができ、可搬でかつ、電源設備の存在しない場所において用いられる灯火装置として適した構成となる。
【００１６】
前記発光体は、互いに発光色の異なる複数種類の発光ダイオードを含み、前記透光グローブは、透明であり、前記発光部は、前記制御回路により発光させる発光ダイオードを切り替えることによって複数色の発光が可能に構成されている、としてもよい。
【００１７】
従来の灯火装置では、単一色の発光体しか備えておらず、そのため、発光色を変更しようとしたときには、その発光体を覆うグローブを、所望の色のグローブに交換していた。従って、前記照射角度の変更と同様に、グローブの交換作業が煩雑であり、使い勝手が悪かった。
【００１８】
これに対し本構成の灯火装置は、発光色の異なる複数種類の発光ダイオードを予め備え、発光させる発光ダイオードを切り替えることによって、透明グローブを通じて複数色の発光が可能に構成されている。これにより、使い勝手が大幅に向上すると共に、灯火装置の用途が拡大する。
【００１９】
前記制御回路は、前記リチウムイオン二次電池の残量を検出する検出回路を含み、前記発光部は、前記検出回路によって検出された前記リチウムイオン二次電池の残量を示す表示部をさらに有している、としてもよい。
【００２０】
こうすることで、リチウムイオン二次電池の残量が容易に認識でき、残量に応じて充電を行って保管することによって、必要時にはそのまま灯火装置を使用することが可能になり、使い勝手がさらに向上する。
【発明の効果】
【００２１】
以上説明したように、本発明によれば、円形状となるように配置した複数の発光体と、その円の内部に配置した逆円錐台状の反射体とによって、発光体から上向きに照射される光と、反射体の反射周面で反射することにより径方向の外方に向かって照射される光との双方を組み合わせることにより、灯火装置における照射角度を拡大させることができる。
【発明を実施するための最良の形態】
【００２２】
以下、本発明の実施形態を図面に基づいて説明する。尚、以下の好ましい実施形態の説明は、本質的に例示に過ぎず、本発明、その適用物或いはその用途を制限することを意図するものではない。
【００２３】
図１〜３は、本実施形態に係る灯火装置１を示しており、この灯火装置１は特に、ヘリコプターの場外又は緊急離着陸場に設置される標識灯として用いられる、可搬式の灯火装置１である。
【００２４】
この灯火装置１は、本体部２と、この本体部２の上部中央に配置された発光部３と、を備えて構成されている。
【００２５】
本体部２は、互いに直交する上面２１、下面２２、前面２３、後面２４及び左右側面２５，２６を含む矩形箱状であり、その下面２２には、その四隅に４つの脚部２７が取り付けられて、地面に設置することが可能に構成されていると共に、その内部には、図示は省略するが、電源を含む各種の電気部品からなる制御回路６が収容されている。灯火装置１が屋外で使用されることから、本体部２は防塵防水構造であることが好ましい。
【００２６】
本体部２はまた、幅及び奥行きに比べて、高さが相対的に低い形状を有しており、このことによって、灯火装置１の重心位置を可及的に低い位置に設定している。これは、前述したように、離着陸場の標識灯として地面に設置したときに、ヘリコプターの着陸時の風圧によって倒れたりすることを防止する上で有利な構成である。また、緊急着陸場等においては、灯火装置１が傾斜した地面に置かれることも想定されるが、そうした場合でも、灯火装置１を安定して設置することができる。
【００２７】
この本体部２の上面２１には、前方（図１の下方向）に向かって水平方向に延びる携行ハンドル２８が一体設けられており、この灯火装置１は、携行ハンドル２８を把持することにより、縦向きの状態で持ち運びされることになる。この構成は、複数個の灯火装置１を一度に運ぶ際に有利である。
【００２８】
本体部２の前面２３には、灯火装置１を操作するための複数の操作スイッチ４及び、電源としてのリチウムイオン二次電池６１（リチウムイオン電池パック６１ともいう）を充電する充電器７（図７参照）が接続されるコネクタ４４がそれぞれ配設されている。この内、操作スイッチ４には、この灯火装置１の動作モードを切り替えるための機能設定スイッチ４１と、発光部３の輝度を調整する輝度調整ボリュームスイッチ４２と、手動／遠隔切替スイッチ４３と、が含まれる。詳しくは後述するが、この灯火装置１は、これら本体部２に取り付けられた操作スイッチ４を操作することにより所望の動作をさせる手動操作と、リモコン送信機４５（図７参照）による遠隔操作とが可能に構成されており、前記手動／遠隔切替スイッチ４３は、手動操作と遠隔操作とを切り替えるためのスイッチである。
【００２９】
発光部３は、前述したように、本体部２における上面２１の中央に配置されていて、本体部２の上面２１に対して取り付けられた透明グローブ５に覆われている。透明グローブ５は、略半球状を有しており、図４に示すように、そのフランジ部５１が防水部材５２を介して本体部２の上面２１に対しネジ止めされることで、防塵防水構造を確保しつつ、本体部２に対して取り付け固定されている。
【００３０】
発光部３は、図４，５に示すように、第１及び第２基板３１，３２と、その第１及び第２基板３１，３２の間に配設された反射体３３と、を備えて構成されている。
【００３１】
第１基板３１は、円形状をした板状の部材であり、本体部２の上面２１における中央位置で、その上面２１に対して上方に間隔を空けて配置されて、当該上面２１に対してネジ３４，３４により固定されている。これによって第１基板３１は、その中心位置が垂直中心軸Ｘ上に位置すると共に、この垂直中心軸Ｘに対し直交するように配設される。
【００３２】
第１基板３１は、多数の発光体が配設される基板であり、この灯火装置１では、発光体として高輝度チップＬＥＤ３５が採用されている。チップＬＥＤ３５は、その光軸を鉛直上向きにした向きで、第１基板３１上に配置されている。
【００３３】
この灯火装置１（発光部３）はまた、白色、赤色、黄色及び緑色の４色の発光色で発光することが可能に構成されており、チップＬＥＤ３５には、互いに発光色の異なる複数種類のチップＬＥＤ３５Ｗ，３５Ｒ、３５Ｙ、３５Ｇが含まれている。具体的に、白色、赤色、黄色及び緑色の各色を発光するチップＬＥＤ３５Ｗ，３５Ｒ、３５Ｙ、３５Ｇは、それぞれ６個備えられており、合計２４個のチップＬＥＤ３５は、図５に示すように、垂直中心軸Ｘを中心とした円周上に、白色３５Ｗ、黄色３５Ｙ、緑色３５Ｇ、赤色３５Ｒの順番となるように、互いに等間隔を空けて並んで配置されている。こうして、第１基板３１上には、複数のチップＬＥＤ３５が、垂直中心軸Ｘを中心とした円形状を形成するように配置されることになる。尚、図示は省略するが、各チップＬＥＤ３５は、本体部２の上面２１に設けられた開口２１１を通じて制御回路６に接続されている。
【００３４】
反射体３３は、図４等に示すように、天地を逆転させることで、下向きに縮径する周面を有する、上下両端がそれぞれ開口した逆円錐台状に構成されており、その下向きに縮径する周面が光を反射し得る鏡面とされて、反射周面３３１を構成している。ここで、反射周面の傾斜角度（水平方向に対する傾斜角度）θは、本実施形態では６３°に設定されているが、これに限定されるものではなく、その角度は適宜設定すればよい。
【００３５】
逆円錐台状の反射体３３は、第１基板３１上に形成された、前記チップＬＥＤ３５からなる円の内側で、垂直中心軸Ｘと同軸となるように配置されている。この反射体３３は、第１基板３１を本体部２に対して固定するためのネジ３４によって、第１基板３１に対して取り付け固定されている。
【００３６】
ここで、反射体３３と各チップＬＥＤ３５との位置関係について、図４〜６を参照しながら詳細に説明すると、各チップＬＥＤ３５は、逆円錐台状の反射体３３の上端縁から下向きに降ろした垂線（一点鎖線参照）が、各チップＬＥＤ３５と交差するように、より詳細には、各チップＬＥＤ３５の光軸と略一致するように配設されている。これによって、発光部３を上から見たときには（図５参照）、各チップＬＥＤ３５の径方向の内方の一部が反射体３３に覆われて隠れるのに対し、各チップＬＥＤ３５の径方向の外方の一部が反射体３３に覆われずに露出するようになる。
【００３７】
ここで、高輝度チップＬＥＤ３５は、その照射角度（指向特性）が比較的広い（例えば鉛直上向きの光軸を中心として１２０°）。このことにより、各チップＬＥＤ３５により発光した光の一部は、反射体３３の反射周面３３１によって反射して、径方向の外方に向かって略水平方向に照射される（図６の破線の矢印参照）一方、光の一部は反射周面３３１に反射されることなく、鉛直上向きから約６０°の角度範囲に亘って照射されることになる（図６の実線の矢印参照）。こうして、チップＬＥＤ３５から上向きに照射される光と、反射体３３の反射周面３３１で反射することにより径方向の外方に向かって照射される光との双方が存在するようになり、発光部３の照射角度αは拡大する。具体的にこの灯火装置１では、照射角度αが９０°以上になる。
【００３８】
また、各チップＬＥＤ３５に対して反射周面３３１が水平方向に隣接して配置されていることにより、各色のチップＬＥＤ３５を円周上に多数個並べなくても、少なくとも６０°の角度間隔で６個配置すれば、反射周面３３１による反射によって、垂直中心軸Ｘ回りの３６０°に亘って照射させることが可能である。従って、この灯火装置１では、前述したように、各色につき、６個のチップＬＥＤ３５を６０°の角度間隔で配置している（図５参照）。
【００３９】
第２基板３２は、第１基板３１よりも小径の円形状であって、反射体３３の上端開口を閉塞するように、反射体３３の上端に配設されている。第２基板３２は、第１基板３１との間に介設されたスペーサ３６に対して、その中央部がビス止めされることによって、第１基板３１に対して固定されている。
【００４０】
第２基板３２上には、後述する無線受信機（図７参照）に接続される合計４個のアンテナ３７と、リチウムイオン二次電池６１の残量を表示するためのバッテリーモニター３８とが配設されている。４個のアンテナ３７は、垂直中心軸Ｘを中心として、この垂直中心軸Ｘ回りに等間隔となるようにそれぞれ配置されている。このように、無線受信機用のアンテナ３７を透明グローブ５内に配設することによって、透明グローブ５によりアンテナ３７を保護することが可能になり、灯火装置１の取り扱いが容易になるという利点がある。
【００４１】
また、バッテリーモニター３８は、緑、黄及び赤色の３つのＬＥＤ３８Ｇ、３８Ｙ、３８Ｒが並んで配置されることによって構成されており、後述する電池残量検出回路６７によって検出されたリチウムイオン二次電池６１の残量に応じて、残量が十分であり、充電の必要がないときには緑色のＬＥＤ３８Ｇが点灯し、残量が少なくなっており、充電時期に近づいているときには黄色のＬＥＤ３８Ｙが点灯し、残量がほとんど無く、充電する必要があるときには赤色のＬＥＤ３８Ｒが点灯することで、リチウムイオン二次電池６１の残量を視覚的に示すように構成されている。
【００４２】
図７は、前記本体部２内に収容されて、前記発光部３を駆動するための制御回路６の構成を示すブロック図である。この制御回路６は、電源として、過充電、過放電保護機能付きのリチウムイオン電池パック６１を備えている。このように灯火装置１の電源としてリチウムイオン電池パック６１を採用することにより、大容量であっても小型、軽量化を図ることができる。その結果、灯火装置１を小型、軽量化することができる。また、リチウムイオン電池パック６１は、自然放電が極めて少ないため、予め充電しておいた状態で灯火装置１を保管しておいても、必要時にはそのまま使用することが可能であるという利点もある。
【００４３】
リチウムイオン電池パック６１は、ＤＣ／ＤＣコンバータ６２に接続されており、このＤＣ／ＤＣコンバータ６２によって昇圧することで、チップＬＥＤ３５等の消費電力を抑制するようにしている。
【００４４】
ＤＣ／ＤＣコンバータ６２には、機能設定回路６３が接続されている。機能設定回路６３は、発光部３を、機能設定スイッチ４１によって選択された機能に応じて動作させるための回路であり、発振回路６４、リレー回路６５及び輝度調整回路６６を介して第１基板３１（チップＬＥＤ３５）に接続されている。
【００４５】
ここで、この灯火装置１では、機能設定スイッチ４１により選択可能な機能として、「白色点灯」、「白色点滅」、「赤色点灯」、「赤色点滅」、「黄色点灯」、「黄色点滅」、「緑色点灯」及び「緑色点滅」の、合計８個の点灯モードを備えている。また、機能設定スイッチ４１によって、リチウムイオン二次電池６１を充填する際に選択する充電モード、リチウムイオン二次電池６１の残量を検出するバッテリーモニターモードがそれぞれ選択可能である。また、機能設定スイッチ４１は、灯火装置１を停止させるオフスイッチも兼用している。
【００４６】
リチウムイオン二次電池６１及び機能設定回路６３はまた、電池残量検出回路（比較回路）６７に接続されている。この電池残量検出回路６７は、前述したように、リチウムイオン二次電池６１の残量を検出する回路である。電池残量検出回路６７は、第２基板３２（バッテリーモニター３８）に接続されており、前述したように、検出した電池残量に応じて、バッテリーモニター３８の緑、黄及び赤色の何れかのＬＥＤ３８Ｇ，３８Ｙ，３８Ｒを点灯させる。
【００４７】
この灯火装置１はまた、前述したように、本体部２に設けられた操作スイッチ４を操作することによる手動操作と、リモコン送信機４５を利用した遠隔操作との双方の操作が可能に構成されている。
【００４８】
すなわち、この制御回路６には、ＤＣ／ＤＣコンバータ６２に接続されて電力が供給される無線受信機６８と、この無線受信機６８が接続される手動／遠隔切替回路６９とをさらに備えており、手動／遠隔切替回路６９は前記リレー回路６５に接続されている。そうして、詳しくは後述するが、リモコン送信機４５を操作したときには、その無線受信機６８及び手動／遠隔切替回路６９を介して、発光部３が前記８個の点灯モードの何れかによって動作することになる。
【００４９】
次に、この灯火装置１の動作について説明する。先ずリチウムイオン二次電池６１の充電を行うときには、機能設定スイッチ４１を「充電」位置に切り替えると共に、本体部２のコネクタ４４に充電器７を接続する。そうして、充電器７に設けられたスタートスイッチ（図示省略）を押すことによってリチウムイオン二次電池６１の充電が開始する。この灯火装置１では、１時間の充電によって、運用可能な容量である９０％の充電が可能であり、フル充電は４時間で完了する。
【００５０】
次に、本体部２の操作スイッチ４を操作することによる手動操作について説明する。この手動操作は、先ず、手動／遠隔切替スイッチ４３を「手動」に切り替えると共に、機能設定スイッチ４１を、「白色点灯」、「白色点滅」、「赤色点灯」、「赤色点滅」、「黄色点灯」、「黄色点滅」、「緑色点灯」及び「緑色点滅」の８個の点灯モードの内の何れかに切り替える。このことによって、対応する発光色のチップＬＥＤ３５が点灯又は点滅することになる。また、輝度調整ボリュームスイッチ４２を操作することによって、輝度調整回路６６を通じて各チップＬＥＤ３５の輝度を調節する。そうして所望の輝度で、チップＬＥＤ３５を点灯又は点滅させる。
【００５１】
これに対し、リモコン送信機４５により遠隔操作を行う場合には、機能設定スイッチ４１を「白色点灯」、「白色点滅」、「赤色点灯」、「赤色点滅」、「黄色点灯」、「黄色点滅」、「緑色点灯」及び「緑色点滅」の８個の動作モードの内の何れかを選択した状態で、手動／遠隔切替スイッチ４３を「遠隔」に切り替える。これにより、全てのチップＬＥＤ３５は消灯し、本体部２はスタンバイ状態となる。こうすることにより電力消費が節約される。
【００５２】
リモコン送信機４５には、図示は省略するが、手動点灯ボタンが備えられており、本体部２をスタンバイ状態にして手動点灯ボタンを操作したときには、本体部２の機能設定スイッチ４１によって選択されている動作モードで、発光部３が動作する。つまり、選択されている発光色のチップＬＥＤ３５が点灯又は点滅する。
【００５３】
また、リモコン送信機４５には、色ボタン及び点灯／点滅ボタン（図示省略）が備えられており、色ボタンによって「白」、「赤」、「黄」、及び「緑」の何れかを選択操作したときには、本体部２の機能設定スイッチ４１の設定内容に拘わらず、リモコン送信機４５において選択した発光色のチップＬＥＤ３５が点灯すると共に、点灯／点滅ボタンをさらに操作したときには、当該発光色のチップＬＥＤ３５が点滅する。このように、リモコン送信機４５を利用した遠隔操作でも、８個の動作モードの内から所望の動作モードで、発光部３を動作させることができる。
【００５４】
次に、リチウムイオン二次電池６１の残量を確認する場合は、機能設定スイッチ４１によって、「バッテリーモニター」モードを選択すると共に、手動／遠隔切替スイッチ４３を「手動」に切り替える。これにより、前述したように、第２基板３２上のバッテリーモニター３８の何れかのＬＥＤ３８Ｇ，３８Ｙ，３８Ｒが点灯することになり、電池残量を確認することができる。
【００５５】
このように、本実施形態に係る灯火装置１によると、その発光部３において、複数のチップＬＥＤ３５と、逆円錐台状の反射体３３とを組み合わせることにより、発光部３を縦断面で見たときに（図６参照）、その照射角度θを、水平方向から垂直方向に至る９０°以上に拡大させることができる。このことにより、この灯火装置１としては、その縦断面において垂直中心軸Ｘを中心とした両側それぞれ９０°（全体として１８０°）の範囲に亘ってかつ、垂直中心軸Ｘを中心とした３６０°に亘って、光を照射することができる。このため、この灯火装置１は、水平から真上にも光を照射することができるため、離着陸場の識別灯として用いたときには、そのままの状態で、ヘリコプターの進入角の変更にも対応することができる。また、灯火装置１を設置する地面が、水平でなく傾斜しているときでも、識別灯として必要な照射角度を確保することができる。従って、反射体の交換作業等が省略できて、灯火装置１の使い勝手が向上する。
【００５６】
また、発光部３に４色のチップＬＥＤ３５Ｗ，３５Ｇ，３５Ｙ，３５Ｒを配置して、スイッチ操作だけで、発光部３の発光色を切り替えることができるから、従来のようにグローブの交換は不要であり、灯火装置１の使い勝手がさらに向上する。
【００５７】
またこうして発光色が変更可能であることにより、この灯火装置１は、例えば白色点灯によって、ヘリコプターの進入経路誘導灯として利用したり、例えば赤色点灯によって、立ち入り制限灯として利用したりすることが可能になる。
【００５８】
また、例えば発光色を互いに異ならせるようにして複数の離着陸場を設営することも実現し得る。
【００５９】
さらに、この灯火装置１の発光部３は、消費電力の少ないチップＬＥＤ３５を採用すると共に、電源として大容量のリチウムイオン電池パック６１を採用しているため、連続点灯時間を長くすることができ、電源設備の存在しない場所においても利用可能で、利便性が高い。また、前述したように、満充電の状態で保管しておいて、そのまま使用することも可能である。
【００６０】
加えて、この灯火装置１は、リチウムイオン電池パック６１の採用等によって、軽量化が図られているため、運搬作業及び設置作業の容易化を図ることができる。
【００６１】
尚、この灯火装置１は、前述した離着陸場の識別灯としての用途の他にも、例えば空港の灯火設備として利用することも可能である。また、例えばがけ崩れ等の危険地帯を示す灯火装置１としても応用可能であり、各種の用途に用いることができる。
【産業上の利用可能性】
【００６２】
以上説明したように、本発明は、円形状に配置した複数の発光体と、逆円錐台状の反射体との組み合わせによって、照射角度を広くすることができるから、離着陸場の識別灯を始めとして、各種用途の灯火装置として有用である。
【図面の簡単な説明】
【００６３】
【図１】灯火装置の平面図である。
【図２】灯火装置の正面図である。
【図３】灯火装置の側面図である。
【図４】図１のIV−IV断面図である。
【図５】発光部の拡大平面図である。
【図６】発光部からの照射範囲を説明する拡大断面図である。
【図７】制御回路のブロック図である。
【符号の説明】
【００６４】
１    灯火装置
２    本体部
２８  携行ハンドル
３    発光部
３１  第１基板
３３  反射体
３３１  反射周面
３５  チップＬＥＤ（発光体）
３８  バッテリーモニター（表示部）
５    透明グローブ（透光グローブ）
６    制御回路
６１  リチウムイオン二次電池
６７  電池残量検出回路
Ｘ    垂直中心軸
【図１】
2010067363.tif 000003
【図２】
2010067363.tif 000004
【図３】
2010067363.tif 000005
【図４】
2010067363.tif 000006
【図５】
2010067363.tif 000007
【図６】
2010067363.tif 000008
【図７】
2010067363.tif 000009